(57)【要約】      （修正有）【課題】持ち運び易く、かつ、簡易な操作で空のペットボトルや空のステンレスボトル等の注水対象内に浄水を供給することができる携帯用浄水器を提供する。【解決手段】携帯用浄水器１は、ろ材収容カートリッジ２と、上方開口３ａよりも下方にろ材Ａが位置する状態でろ材収容カートリッジ２を保持する筒状本体３と、筒状本体３の底部ｍ中央に連設され、筒状本体３よりも細い筒状の注ぎ口４と、筒状本体３に着脱自在で、上方開口３ａを覆うための上蓋５と、筒状本体３に着脱自在で、前記注ぎ口４を覆うための下蓋６とよりなる。【選択図】図２
0003168398.tif 000002
【実用新案登録請求の範囲】
【請求項１】
ろ材収容カートリッジと、
上方開口を備え、その上方開口よりも下方にろ材が位置する状態で前記ろ材収容カートリッジを保持する筒状本体と、
その筒状本体の底部中央に連設された前記筒状本体よりも細い筒状の注ぎ口と、
前記筒状本体に着脱自在で、前記上方開口を覆うための上蓋と、
前記筒状本体に着脱自在で、前記注ぎ口を覆うための下蓋と
よりなることを特徴とする携帯用浄水器。
【請求項２】
前記上蓋が略ドーム形状、前記下蓋が略コップ形状であり、前記筒状本体に前記上蓋、下蓋を装着した状態では、全体の外形がカプセル状である請求項１に記載の携帯用浄水器。
【請求項３】
前記下蓋には通気口が設けられている請求項１または２に記載の携帯用浄水器。
【請求項４】
前記筒状本体の外壁には、前記上蓋の下端縁が当接する第１段部と、前記下蓋の上端縁が当接する第２段部とが設けられている請求項１〜３のいずれか１項に記載の携帯用浄水器。
【請求項５】
前記筒状本体の底部下面で前記注ぎ口のまわりには注水対象のボトルの口部上面に当接するリブが放射状に設けられている請求項１〜４のいずれか１項に記載の携帯用浄水器。  
【請求項６】
前記ろ材収容カートリッジは、上面部と筒状の周壁部と下面部とを有し、前記上面部および下面部にはそれぞれ通水用の開口部を備え、さらに、前記上面部には、起伏自在の把手が設けられている請求項１〜５のいずれか１項に記載の携帯用浄水器。
【考案の詳細な説明】
【技術分野】
【０００１】
この考案は、ろ材収容カートリッジを備え、水道水を前記ろ材収容カートリッジに注ぐだけで、例えば空のペットボトル内に浄水を注水可能とするように構成された新規な携帯用浄水器に関するものである。
【背景技術】
【０００２】
経済性（節約）および地球環境に配慮して例えば自宅で予め空のペットボトル（例えば５００ｍｌ）に水道水や浄水を入れておき（注水しておき）、これを携帯する場合がある。また、喉の渇きを癒すためスポーツジム等に設けられた冷却器の吐水口から前記ペットボトルに水道水の冷水を入れる場合もある。
【考案の概要】
【考案が解決しようとする課題】
【０００３】
ところで、例えばスポーツジムでペットボトルに入れた水道水を飲むにしてもおいしい浄水で喉の渇きを癒す方がよい。このような事情から例えばスポーツジムやオフィス、あるいはキャンプ場等の、水道水が使えるいずれの場所でも持ち運びに際して邪魔にならず、かつ、簡易な操作で水道水から浄水を得ることができるハンディタイプの浄水器が望まれる。
【０００４】
この考案は、上述の事柄に留意してなされたもので、その目的は、持ち運び易く、かつ、簡易な操作で空のペットボトルや空のステンレスボトル等の注水対象内に浄水を供給することができる携帯用浄水器を提供することである。
【課題を解決するための手段】
【０００５】
上記目的を達成するために、この考案の携帯用浄水器は、
ろ材収容カートリッジと、
上方開口を備え、その上方開口よりも下方にろ材が位置する状態で前記ろ材収容カートリッジを保持する筒状本体と、
その筒状本体の底部中央に連設された前記筒状本体よりも細い筒状の注ぎ口と、
前記筒状本体に着脱自在で、前記上方開口を覆うための上蓋と、
前記筒状本体に着脱自在で、前記注ぎ口を覆うための下蓋と
よりなることを特徴としている（請求項１）。
【０００６】
この考案で用いられるろ材としては、例えば不純物や塩素を取り除く活性炭と、まろやかさを出す“珊瑚セラミックス”、“麦飯石セラミックス”を好ましいものとして挙げることができる。活性炭は、不純物を吸着により取り除く。また、活性炭に銀をコーティングすることにより細菌の発生を防止する殺菌作用を備える。麦飯石はミネラルの添加のため用いられる。
【０００７】
また、この考案は、前記上蓋が略ドーム形状、前記下蓋が略コップ形状であり、前記筒状本体に前記上蓋、下蓋を装着した状態では、全体の外形がカプセル状である請求項１に記載の携帯用浄水器を提供する（請求項２）。また、この考案は、前記下蓋には通気口が設けられている請求項１または２に記載の携帯用浄水器を提供する（請求項３）。また、この考案は、前記筒状本体の外壁には、前記上蓋の下端縁が当接する第１段部と、前記下蓋の上端縁が当接する第２段部とが設けられている請求項１〜３のいずれか１項に記載の携帯用浄水器を提供する（請求項４）。また、この考案は、前記筒状本体の底部下面で前記注ぎ口のまわりには注水対象のボトルの口部上面に当接するリブが放射状に設けられている請求項１〜４のいずれか１項に記載の携帯用浄水器を提供する（請求項５）。さらに、この考案は、前記ろ材収容カートリッジは、上面部と筒状の周壁部と下面部とを有し、前記上面部および下面部にはそれぞれ通水用の開口部を備え、さらに、前記上面部には、起伏自在の把手が設けられている請求項１〜５のいずれか１項に記載の携帯用浄水器を提供する（請求項６）。
【考案の効果】
【０００８】
請求項１に係る考案では、上方開口を備え、その上方開口よりも下方にろ材が位置する状態でろ材収容カートリッジを保持する筒状本体を設け、その筒状本体よりも細い筒状の注ぎ口を筒状本体の底部中央に連設し、上蓋および下蓋でそれぞれ上方開口および筒状の注ぎ口を覆うよう構成されている。そのため、使用時において、上蓋および下蓋をそれぞれ筒状本体から取り外してろ材収容カートリッジが保持されている保持空間および筒状の注ぎ口を開放し、開放された筒状の注ぎ口を例えば空のペットボトルの口部に挿入した状態で筒状本体の上方開口からろ材収容カートリッジに水道水を注ぐといった、上下の両蓋を空けるだけの簡易な操作で空のペットボトルに浄水を注水することができ、その結果、ペットボトルに入れたその浄水を仕事中、運動中の飲料水として、また、例えばキャンプ場等の、水道水が使える場所において料理に使う水として広範囲に利用することができる。また、例えば前記キャンプ場において料理に使う水用にペットボトルを大量に購入しなくても、一つの空のペットボトルにこの考案の携帯用浄水器を適用するだけで、水道水から浄水を得ることができるので、大変経済的である。一方、不使用時においては上蓋および下蓋をそれぞれ筒状本体に装着することでこれら三部材を一体化することができ、そのため持ち運び易くできるとともに、いずれかを紛失して使えなくなるといったようなおそれが少なくなる。
【０００９】
請求項２に係る考案では、上蓋が略ドーム形状、下蓋が略コップ形状であり、筒状本体に上蓋、下蓋を装着した状態では、全体の外形がカプセル状に形成されている。すなわち、上蓋の上面と下蓋の筒状の周壁部の下端外周面は丸みをおびていることから、例えばバッグに詰め込んで携帯しても中に納まり易く、また、角張らないので違和感はなく、また、カプセル状の外形は見た目にも斬新で見栄えがする。
【００１０】
請求項３に係る考案では、下蓋に通気口が設けられており、その通気口を介して空気が出入りすることができるので、下蓋および上蓋でそれぞれ覆われている筒状の注ぎ口を含む内部および筒状の注ぎ口に連通するろ材収容カートリッジの保持空間内の衛生状態が清潔に保たれうる。
【００１１】
請求項４に係る考案では、筒状本体の外壁には、上蓋の下端縁が当接する第１段部と、前記下蓋の上端縁が当接する第２段部とが設けられているので、カプセル状の外形の外面に凹凸部分が全く存在せず、より見栄えがする。
【００１２】
請求項５に係る考案では、筒状本体の底部下面で筒状の注ぎ口のまわりには注水対象のボトルの口部上面に当接するリブが放射状に設けられているので、例えば空のペットボトルや空のステンレスボトルの口部に筒状の注ぎ口を含むろ材収容カートリッジ入りの筒状本体を安定してセットすることができる。すなわち、水道水を注ぐ最中に筒状本体がぐらついたり、突然傾いて落下するといった事態をできる。また、前記リブによって、例えば空のペットボトルまたは空のステンレスボトルの内部と外部とを連通するための空気抜き流路が形成されるので、空のペットボトルまたは空のステンレスボトルの内部への注水をスムースに行うことができる。
【００１３】
請求項６に係る考案では、ろ材収容カートリッジは、上面部と筒状の周壁部と下面部とを有し、前記上面部および下面部にはそれぞれ通水用の開口部を備え、さらに、前記上面部には、起伏自在の把手が設けられているので、上方開口を介しての筒状本体内への収容の際にはろ材収容カートリッジの把手を起立状態にして持ち易くできるとともに、その状態で把手を持って収容することができるとともに、収容した後に起立状態の把手を前記上面部と面一になるまで上から押して伏せた状態にして前記上面部に形成された通水用の開口部に均一に水道水が流れるようにすることができ、また、取り出しの際には把手を起立状態にすることによって、ろ材収容カートリッジの取り出しを容易にできる。なお、把手を持った状態で前記上面部を押しながら収容動作すると、スムースに安定的にろ材収容カートリッジを収容することができる。
【図面の簡単な説明】
【００１４】
【図１】この考案の一実施形態における使用状態を示す構成説明図である。
【図２】上記実施形態を示す構成説明図である。
【図３】上記実施形態を示す分解斜視図である。
【図４】この考案の他の実施形態を示す構成説明図である。
【考案を実施するための形態】
【００１５】
図１〜図３は、この考案に係る携帯用浄水器の一実施形態を示す。図１〜図３において、携帯用浄水器１は、ろ材Ａを収容したろ材収容カートリッジ２と、上方開口３ａを備え、その上方開口３ａよりも下方にろ材Ａが位置する状態で前記ろ材収容カートリッジ２を保持する筒状本体３と、その筒状本体３の底部ｍの中央に連設された前記筒状本体３よりも細い有底筒状の注ぎ口４と、前記筒状本体３に着脱自在で、前記上方開口３ａを覆うための上蓋５と、前記筒状本体３に着脱自在で、前記注ぎ口４を覆うための下蓋６とより主としてなる。そして、前記上蓋５は略ドーム形状に形成されている。また、前記下蓋５は略コップ形状であり、前記筒状本体３に前記上蓋３、前記下蓋６を装着した状態では、前記浄水器１全体の外形がカプセル状である。漏斗として機能する前記筒状本体３と、上蓋５と、下蓋６と、ろ材収容カートリッジ２の材料は、例えばポリプロピレン製であるが、これ以外の合成樹脂も適用できる。また、前記筒状本体３と、上蓋５と、下蓋６は全体が着色されている。これら部材３，５，６は同色の例えばブルー等に統一されており、見た目にカラフルな外観を醸しだしている。一方、ろ材収容カートリッジ２は例えば白色である。また、注ぎ口４は底部４ａの中央に、水道水をろ過してなる浄水の吐出口ａを有する。
【００１６】
さらに、下蓋６の周壁ｎにおける下部には、上下方向に形成されたスリット状の複数の通気口７が周方向に所定の間隔を有して設けられている。また、筒状本体３の外壁Ｍには、上蓋５の環状の下端縁５ａが当接する環状の第１段部３ｂと、下蓋６の環状の上端縁６ａが当接する第２段部３ｃとが設けられている。そして、筒状本体３の底部ｍの下面３ｄで前記注ぎ口４のまわりには注水対象である例えば空のペットボトルＰの口部１０の上面１１に当接するリブ８が、注ぎ口４の前記吐出口ａを中心として放射状に設けられている。前記底部ｍの外面は、下方にいくほど先細りするテーパ面１３と、このテーパ面１３から注ぎ口４に至る環状水平面１４で構成され、各リブ８は、前記テーパ面１３と前記環状水平面１４に跨がって形成されている。図１において、８ａは、リブ８のうちテーパ面１３に位置するリブ部分、８ｂは、リブ８のうち環状水平面１４に位置するリブ部分である。
【００１７】
一方、合成樹脂製の前記ろ材収容カートリッジ２は、上面部１５と筒状の周壁部１６と下面部１７とを有し、前記上面部１５には、起伏自在の略Ｃ型形状の把手２０が設けられている。さらに、前記上面部１５には通水用の複数の大小さまざな大きさの開口部１９ａ，１９ｂ，１９ｃ，１９ｄ，１９ｅ，１９ｆを備えている。開口部１９ａは、起立状態の前記把手２０（図３参照）を前記上面部１５と面一になるまで上から押して伏せた状態にするため把手２０が収容できる大きさの平面視円弧形状のものであり、前記上面部１５の大きさの略半分を占めている。また、開口部１９ｂは上面部１５の中央に位置するものである。開口部１９ｃ，１９ｄ，１９ｅおよび１９ｆは、開口部１９ｂを中心として径方向外方に向かって略同心円状にこの順で複数配列されており、大きさも大きくなっている。また、前記下面部１７には通水用の複数の大小さまざな大きさの開口部１９ｇ，１９ｈ，１９ｉ，１９ｊ，１９ｋを備えており、単一の開口部１９ｂを中心として径方向外方に向かって略同心円状に規則正しく複数配列されている。そして、開口部１９ｈ，１９ｉ，１９ｊおよび１９ｋの順で径方向外方にいくほど大きさも大きくなっている。
【００１８】
そして、ろ材収容カートリッジ２内に収容されているろ材Ａは、例えば、原水である水道水Ｗから不純物や塩素を取り除く「活性炭」と、まろやかさを出す「珊瑚セラミックス」および「麦飯石セラミック」をブレンドしたものであって、ろ過の寿命が来れば（ろ過機能が低下すれば）交換される使い捨てタイプのものである。すなわち、前記活性炭、珊瑚セラミックス、麦飯石セラミックスといった前記ろ材Ａは、前記ろ材Ａが流出しない大きさの目合いを備えたメッシュ体２１に袋詰めされており、そのメッシュ体２１が前記上面部１５、周壁部１６および下面部１７によって囲まれる空間Ｓ内に収容されて前記ろ材収容カートリッジ２が構成されている。前記ろ材収容カートリッジ２は、１個で例えば５００ｍｌ（ミリリットル）のペットボトル５００本分に当たる約２５０リットルの浄水を得ることができる程度のろ材Ａが収納可能な大きさのカートリッジであり、この場合のろ過流路は、例えば０．１６リットル／分である。なお、ろ材収容カートリッジ２の交換時期は約三ヵ月である。
【００１９】
ろ材収容カートリッジ２の前記上面部１５には、起伏自在の把手２０が設けられている。そのため、上方開口３ａを介しての筒状本体３内への収容の際には、図３に示すように、前記把手２０を起立状態にして持ち易くできるとともに、その状態で前記把手２０を持って収容することができる。そして、収容した後に起立状態の前記把手２０を前記上面部１５と面一になるまで上から押して伏せた状態にする（図１参照）。そのために前記上面部１５に形成された通水用の開口部１９ａ，１９ｂ，１９ｃ，１９ｄ，１９ｅ，１９ｆに均一に水道水が流れるようにすることができ、また、取り出しの際には、図２において二点鎖線で示すように、把手２０を起立状態にすることによって、ろ材収容カートリッジ２の取り出しを容易にできる。なお、把手２０を持った状態で前記上面部１５を押しながら収容動作すると、スムースに安定的にろ材収容カートリッジ２を収容することができる。さらに、前記上面部１５は、前記開口部１９ｂ，１９ｃ，１９ｄが形成された円盤部分１５ａを有する。そして、この円盤部分１５ａは、前記開口部１９ａの外周ｔ1 に対向する外周位置に形成された凹状の切欠Ｔを有する。すなわち、把手２０を掴みながら持ち上げて前記ろ材収容カートリッジ２を筒状本体３内から取り出す際に、開口部１９ａ内に伏せた状態で位置している把手２０を掴み易くするため（指先を入れ易くするため）円盤部分１５ａの外周ｔ2 に前記切欠Ｔを設けている。そして、把手２０の内周面２０ａと前記切欠Ｔとの間に指先を入れ易い大きさの隙間が形成される。そのためその隙間に指先をあてがった状態で把手２０の内側に指先を引っかけ易くでき、把手２０を指先で容易に持ち上げる（起立状態にする）ことができる。
【００２０】
そして、前記筒状本体３は、ろ材収容カートリッジ２を安定的に保持するため筒状本体３の底部ｍの内面（底部ｍの上面）３ｄ’におけるテーパ面１３に対応する面で、周方向に適宜間隔を有して、ろ材収容カートリッジ２の下面部１７の外周端が当接しうる複数のスペーサ２３を備えている。また、ろ材収容カートリッジ２の筒状の周壁部１６は、上部大径部分１６ａと下部小径部分１６ｂを備える一方、上部大径部１６ａの下端縁Ｂが当接する内側段部２５が筒状本体３に設けられている。その内側段部２５は前記第２段部３ｃよりもｄの高さ（図２参照）だけ高い位置にある。よって、使用状態では、前記周壁部１６（１６ａ，１６ｂ）が筒状本体３の内周面に密着しながら、周壁部１６の前記下部小径部分１６ｂが内側段部２５およびスペーサ２３間に位置するとともに、上部大径部分１６ａが内側段部２５によって支持された状態で、ろ材収容カートリッジ２が筒状本体３にきっちりと収容されうる。
【００２１】
なお、図１に示す使用状態から図２に示すように上蓋５と下蓋６を筒状本体３にセットするにあたり、あわてて上方開口３ａを下蓋６で覆うような動作を使用者が行っても、セットの仕方が逆であることを使用者に直ぐさま気づかせるため下蓋６が上方開口３ａを覆うことができないように下蓋６の開口Ｄと上方開口３ａの大きさが設定されている。
【００２２】
而して、図１に示すように、ろ材収容カートリッジ２が収容された筒状本体３を空のペットボトルＰ（例えば５００ｍｌ）にセットし、続いて、水道水Ｗを注ぐ。注ぐ際はゆっくり一定の速度で注ぐのが好ましい。すなわち、ろ材収容カートリッジ２が収容された筒状本体３の底部ｍの中央に連設された前記筒状の注ぎ口４を空のペットボトルＰの口部１０に挿入した状態で筒状本体３の上方開口３ａからろ材収容カートリッジ２に水道水を一定の速度で注ぐ。このように水道水Ｗを注ぐだけで、約３分で５００ｍｌの浄水Ｗ’を得ることができてまろやかなおいしい浄水を飲むことができる。すなわち、塩素を除去したおいしい軟水で、コーヒーやお茶の旨味がより一層引き立つ。下記表１は、この考案に係る携帯用浄水器の水質テストの結果を示している。表１から、分析水質基準２７項目全てに合格していることが分かり、また、残留塩素除去にも優れていることが分かる。
【００２３】
【表１】
0003168398.tif 000003
【００２４】
図４は、ろ材収容カートリッジ２の周壁部１６が、上記実施形態で示した周壁部１６の上部大径部分１６ａよりも上下に長い上部大径部分１６ａ’を有するように構成したこの考案の他の実施形態を示す。図１〜３に示す符号と同一のものは、同一または相当物である。図４において、ろ材収容カートリッジ２の周壁部１６は、上記実施形態で示した周壁部１６の上部大径部分１６ａよりも上下に長い上部大径部分１６ａ’と、下部小径部分１６ｂとよりなる。上部大径部分１６ａ’の上下の長さＨは、その上面３０の位置Ｌ1 が筒状本体３の上端面３１の位置Ｌ2 から上方に突出した状態でろ材収容カートリッジ２が筒状本体３に収容できるような長さに設定されている。Δは、上面３０の突出長さである。このような構成では、上記実施形態で示した場合とは異なり、筒状本体３の上部内周面３’’も上部大径部分１６ａ’で覆うことができる。すなわち、上部大径部分１６ａ’が筒状本体３の上部内周面３’’に密着して水密にシールすることから、筒状本体３の内周面３’への水道水のリークを完全に防止することができる。
【００２５】
なお、この考案の携帯用浄水器は、前述したペットボトルＰのみならずステンレスボトル等、前記筒状の注ぎ口４が挿入可能な口部を有する種々の注水対象に用いることができる。
【符号の説明】
【００２６】
１      携帯用浄水器
２      ろ材収容カートリッジ
３      筒状本体
３ａ    上方開口
４      筒状の注ぎ口
５      上蓋
６      下蓋
Ａ      ろ材
ｍ      底部
【図１】
0003168398.tif 000004
【図２】
0003168398.tif 000005
【図３】
0003168398.tif 000006
【図４】
0003168398.tif 000007